(57)【特許請求の範囲】
【請求項１】
レシート用紙に情報を印字するプリンタと、
入力された商品情報に基づいたデータ処理により少なくとも商品価格を含む商品データを読み取る商品情報データ処理手段と、
前記商品データから顧客に渡す釣銭額を算出する釣銭額算出手段と、
前記商品データおよび前記釣銭額を前記プリンタで印字してレシートとして発行するレシート発行手段と、
前記釣銭額から釣銭として顧客に渡す貨幣の枚数を算出する釣銭貨幣枚数算出手段と、
前記貨幣の枚数に基づき前記レシート発行手段によるレシートの発行速度を制御するレシート発行速度制御手段と、
を備えた商品販売データ処理装置。
【請求項２】
前記レシート発行速度制御手段は、前記釣銭貨幣枚数算出手段によって算出された貨幣の枚数が多いときは前記レシートの発行速度を遅くなるように制御し、前記釣銭貨幣枚数算出手段によって算出された貨幣の枚数が少ないときは前記レシートの発行速度を速くなるように制御する、
請求項１に記載の商品販売データ処理装置。
【請求項３】
前記商品情報データ処理手段は、入力された商品数をカウントし、前記レシート発行速度制御手段は、カウント値に基づいて前記レシートの発行速度を制御する、
請求項１または２に記載の商品販売データ処理装置。
【請求項４】
前記レシート発行速度制御手段は、前記カウント値が多いときは前記レシートの発行速度を速くなるように制御し、前記カウント値が少ないときは前記レシートの発行速度を遅くなるように制御する、
請求項３に記載の商品販売データ処理装置。
【請求項５】
前記レシート発行速度制御手段は、前記プリンタに供給する電流および前記プリンタによる前記レシート用紙の搬送速度を制御してレシートの発行速度を制御する、
請求項１から４のいずれかに記載の商品販売データ処理装置。
【請求項６】
レシート用紙に情報を印字するプリンタを備えたコンピュータを、
入力された商品情報に基づいたデータ処理により少なくとも商品価格を含む商品データを読み取る商品情報データ処理手段と、
前記商品データから顧客に渡す釣銭額を算出する釣銭額算出手段と、
前記商品データおよび前記釣銭額を前記プリンタで印字してレシートとして発行するレシート発行手段と、
前記釣銭額から釣銭として顧客に渡す貨幣の枚数を算出する釣銭貨幣枚数算出手段と、
前記貨幣の枚数に基づき前記レシート発行手段によるレシートの発行速度を制御するレシート発行速度制御手段と、
して機能させるためのプログラム。
【発明の詳細な説明】
【技術分野】
【０００１】
本発明の実施の形態は、商品販売データ処理装置、およびプログラムに関する。
【背景技術】
【０００２】
ＰＯＳ（Point  of  Sales）端末やＥＣＲ（Electric  Cash  Resister）に代表される商品販売データ処理装置は、例えば商品に付されたバーコードを読み取って商品情報を取得し、この商品情報に基づいて商品情報のデータ処理を実行し、内蔵されたプリンタでレシート用紙に商品情報や合計金額等を印字してレシートとして発行するものである。この商品販売データ処理装置に内蔵されたプリンタは、感熱紙に熱を印加して発色させるタイプのサーマルプリンタやインクを吐出させて印字するライン型のインクジェットプリンタが主流である。
【発明の概要】
【発明が解決しようとする課題】
【０００３】
このような商品販売データ処理装置では、レシートを遅滞なく発行するために、プリンタでのレシート発行速度を速くしているため、プリンタでの消費電力が最も多い。したがって、レシートを遅滞なく発行する機能は備えつつ、商品販売データ処理装置の消費電力を抑えるために、内蔵されたプリンタの消費電力を抑えることが望まれている。
【課題を解決するための手段】
【０００４】
本実施の形態の商品販売データ処理装置は、レシート用紙に情報を印字するプリンタと、入力された商品情報に基づいたデータ処理により少なくとも商品価格を含む商品データを読み取る商品情報データ処理手段と、前記商品データから顧客に渡す釣銭額を算出する釣銭額算出手段と、前記商品データおよび前記釣銭額を前記プリンタで印字してレシートとして発行するレシート発行手段と、前記釣銭額から釣銭として顧客に渡す貨幣の枚数を算出する釣銭貨幣枚数算出手段と、前記貨幣の枚数に基づき前記レシート発行手段によるレシートの発行速度を制御するレシート発行速度制御手段と、を備える。
【０００５】
本実施の形態のプログラムは、レシート用紙に情報を印字するプリンタを備えたコンピュータを、入力された商品情報に基づいたデータ処理により少なくとも商品価格を含む商品データを読み取る商品情報データ処理手段と、前記商品データから顧客に渡す釣銭額を算出する釣銭額算出手段と、前記商品データおよび前記釣銭額を前記プリンタで印字してレシートとして発行するレシート発行手段と、前記釣銭額から釣銭として顧客に渡す貨幣の枚数を算出する釣銭貨幣枚数算出手段と、前記貨幣の枚数に基づき前記レシート発行手段によるレシートの発行速度を制御するレシート発行速度制御手段と、して機能させる。
【図面の簡単な説明】
【０００６】
【図１】図１は、本実施の形態の商品データ処理装置の斜視図である。
【図２】図２は、本実施の形態の商品データ処理装置のブロック図である。
【図３】図３は、本実施の形態の商品データ処理装置のメモリマップの模式図である。
【図４】図４は、本実施の形態の商品データ処理装置のメモリマップの詳細模式図である。
【図５】図５は、本実施の形態の商品データ処理装置の別のメモリマップの詳細模式図である。
【図６】図６は、本実施の形態の商品データ処理装置のさらに別のメモリマップの詳細模式図である。
【図７】図７は、本実施の形態の商品データ処理装置の機能ブロック図である。
【図８】図８は、本実施の形態の商品データ処理装置の処理を示すフローチャートである。
【発明を実施するための形態】
【０００７】
以下、図１から図８を参照して、本実施の形態に係る商品販売データ処理装置について詳細に説明する。なお、本実施の形態では一例としてＰＯＳ端末について説明する。以下に説明する実施の形態によりこの発明が限定されるものではない。
【０００８】
図１を用いて、本実施の形態のＰＯＳ端末の構造について説明する。ＰＯＳ端末１は、筐体２を備えている。この筐体２には、キーボード２５、表示器２７、レシート発行口４を有するプリンタ２８が取り付けられており、筐体２に内蔵されている電源から電流が供給され論理回路によって制御される。また、ＰＯＳ端末１にはバーコードリーダ２９が取り付けられている。このバーコードリーダ２９は、商品に付されたバーコードを光学的に読み取り、商品情報をＰＯＳ端末１に伝送する。
【０００９】
また、ＰＯＳ端末の下には、貨幣を収納するドロワ３が設けられている。このドロワ３は、図示しない開閉箱を含み、この開閉箱がＰＯＳ端末１から発信されるドロワ開放信号により後述するドロワ開放装置４１によって開放される。開平箱には硬貨と紙幣が金種毎に区分けされて収納されており、開放方向手前側に硬貨が、奥側に紙幣が収納されている。
【００１０】
また、プリンタ２８は、図示しないロール状のレシート用紙の収納部、印字部、搬送部を備えている。印字部は、収納部から引き出したレシート用紙に熱を与えて文字や図形等を印字するサーマルヘッドを有している。搬送部は、収納部に収納されたレシート用紙の先頭部分を引き出して印字部に搬送する。印字部で印字されたレシートは、レシート発行口４からプリンタ２８の外部に排出されて発行される。
【００１１】
図２は本実施の形態のＰＯＳ端末１のハードウェアの電気的接続を示すブロック図である。図２に示すように、ＰＯＳ端末１は、制御主体となるＣＰＵ（Central  Processing  Unit）２１、各種プログラムを記憶するＲＯＭ（Read  Only  Memory）２２、各種データを展開するＲＡＭ（Random  Access  Memory）２３、各種プログラムおよびデータを記憶するハードディスクからなるメモリ部２４等を備えている。ＣＰＵ２１、ＲＯＭ２２、ＲＡＭ２３、メモリ部２４は、互いにデータバス５１を介して接続されている。ＣＰＵ２１とＲＯＭ２２とＲＡＭ２３とメモリ部２４が制御部１００を構成する。すなわち、制御部１００は、ＣＰＵ２１がＲＯＭ２２またはメモリ部２４に記憶されＲＡＭ２３に展開したプログラムに従って動作することによって、後述する制御処理を実行する。
【００１２】
また、データバス５１には、キーボード２５、表示器２７、プリンタ２８、バーコードリーダ２９が、それぞれキーボードコントローラ３１、ディスプレイコントローラ３２、プリンタコントローラ３３、バーコードリーダコントローラ３４を介して接続されている。さらに、データバス５１には、ドロワ３の開平箱を開放するドロワ開放装置４１がドロワＩ／Ｆ４３を介して接続されている。また、データバス５１はＬＡＮＩ／Ｆ４４を介して外部のＬＡＮ回線４２に接続されている。また、プリンタ２８はライン状に配列されたサーマルヘッドを備えており、このサーマルヘッドに電流を供給して発熱させ、レシート用紙に印字を行う。
【００１３】
次に、図３を用いて、ＲＡＭ２３のメモリマップについて説明する。ＲＡＭ２３には、バーコードリーダ２９で入力された商品情報の数を記憶するカウンタ６１、ドロワ３内に収納されている硬貨および紙幣を釣銭として用意するために、オペレータがドロワ３から紙幣または硬貨を１枚取り出すのに要する時間を、各紙幣および各硬貨に対応して記憶している貨幣データ記憶部６２、釣銭として顧客に渡す硬貨および紙幣の合計枚数から算出される釣銭を準備するのに要する合計時間に対応してレシートの発行速度指数を記憶するレシート発行速度指数記憶部６３、レシート発行速度指数に対応してレシート用紙の搬送速度および印字部に供給する電流値を記憶するレシート搬送速度／供給電流記憶部６４、選択された１つのレシート用紙の搬送速度および印字部に供給する電流値をセットするレシート搬送速度／供給電流セット部６５が設けられている。貨幣データ記憶部６２、レシート発行速度指数記憶部６３、レシート搬送速度／供給電流記憶部６４に記憶されているデータは、ＲＯＭ２２あるいはメモリ部２４に記憶されており、ＰＯＳ端末１の電源スイッチをＯＮ直後の初期設定において、ＲＡＭ２３のそれぞれに展開される。
【００１４】
図４は、ＲＡＭ２３の貨幣データ記憶部６２を詳細にした模式図である。本実施の形態では、１円硬貨、５円硬貨、１０円硬貨、５０円硬貨、１００円硬貨、５００円硬貨は、それぞれ１枚の硬貨をドロワ３から取り出す時間として０．３秒が記憶されている。また、１０００円札、２０００円札、５０００円札は、それぞれ１枚の紙幣をドロワ３から取り出す時間として０．５秒が記憶されている。この硬貨および紙幣１枚を取り出す時間は、オペレータの熟練度によって記憶値を異ならせることができるものであり、例えばサインオン時に入力するオペレータの情報に基づいて、貨幣データ記憶部６２に設定するデータを異ならせてもよい。
【００１５】
図５は、ＲＡＭ２３のレシート発行速度指数記憶部６３を詳細にした模式図である。釣銭額から算出した釣銭の硬貨および紙幣の種別とその枚数を基に、貨幣データ記憶部６２に記憶されている、それぞれの貨幣を取り出す時間を合計した、釣銭を準備するのに要する合計時間に対応させて、レシートを発行する速度の指数を記憶している。
【００１６】
図６は、ＲＡＭ２３のレシート搬送速度／供給電流記憶部６４を詳細にした模式図である。レシート発行速度指数記憶部６３に記憶しているレシートを発行する速度の指数に対応して、レシートの搬送速度と供給する電流値を記憶している。指数１に対応して搬送速度２７０ｍｍ／ｓｅｃと供給電流値４．４８Ａが、指数２に対応して搬送速度２４０ｍｍ／ｓｅｃと供給電流値３．９８Ａが、指数３に対応して搬送速度１５０ｍｍ／ｓｅｃと供給電流値２．４９Ａを記憶している。レシート搬送速度／供給電流セット部６５は、レシート搬送速度／供給電流記憶部６４から読み出された搬送速度と供給電流をレシート発行速度としてセットするエリアである。指数１は、最も速いスピードで印字・搬送を行い、最も速くレシートを発行する。指数２は、指数１よりは遅いが比較的速くレシートを発行する。指数３は、指数２より遅く比較的遅くレシートを発行する。
【００１７】
次に、図７を用いてＰＯＳ端末１の機能ブロック図を説明する。図７において、制御部１００がＲＯＭ２２またはメモリ部２４に記憶された各種プログラムに従うことで、商品情報データ処理手段１０１、釣銭額算出手段１０２、レシート発行手段１０３、釣銭貨幣枚数算出手段１０４、レシート発行速度制御手段１０５を機能させる。
【００１８】
商品情報データ処理手段１０１は、入力された商品情報に基づいたデータ処理により少なくとも商品価格を含む商品データを読み取る機能を備えている。釣銭額算出手段１０２は、商品データから顧客に渡す釣銭額を算出する機能を備えている。レシート発行手段１０３は、商品データおよび前記釣銭額を前記プリンタで印字してレシートとして発行する機能を備えている。釣銭貨幣枚数算出手段１０４は、釣銭額から釣銭として顧客に渡す貨幣の枚数を算出する機能を備えている。レシート発行速度制御手段１０５は、貨幣の枚数に基づき前記レシート発行手段によるレシートの発行速度を制御する機能を備えている。
【００１９】
次に、図８のフローチャートを用いて、ＰＯＳ端末１における制御処理の概要について説明する。ＰＯＳ端末１の制御部１００が以下の制御を実行する。
【００２０】
図８において、制御部１００は、バーコードリーダ２９等により商品情報の入力があったかを判断する（ステップＳＰ１）。商品情報の入力がない場合（ステップＳＰ１のＮｏ）、制御部１００は、締めキーの入力があったかを判断する（ステップＳＰ４）。商品情報の入力か締めキーの入力があるまで待機する（ステップＳＰ４のＮｏ）。
【００２１】
商品情報の入力があった場合は（ステップＳＰ１のＹｅｓ）、制御部１００は、入力された商品情報のデータ処理を実行する（ステップＳＰ２）。本実施の形態における商品情報のデータ処理とは、入力された商品情報に基づき、ＰＬＵ（Price  Look  Up）から商品名称や価格やその他の情報を読み出して、ＲＡＭ２３に記憶し、商品名や価格を表示器２７に表示することである。
【００２２】
そして、制御部１００は、カウンタ６１の値を＋１する（ステップＳＰ３）。カウンタ６１の値は初期値は０が記憶されている。カウンタの値を＋１したら、ステップＳＰ１に戻って更なる商品情報の入力を待つ。そして入力される商品情報の商品の回数分ステップＳＰ１からステップＳＰ３の処理を繰り返す。したがって、商品情報が入力された回数の数がカウンタ６１に記憶される。
【００２３】
商品情報の入力ではなく（ステップＳＰ１のＮｏ）締めキーの入力があった場合は（ステップＳＰ４のＹｅｓ）、制御部１００は、合計金額を算出する等の締め処理およびこの合計金額と入力された預かり金額とから釣銭額を算出する（ステップＳＰ５）。次に制御部１００は、算出された釣銭額から釣銭として使用される貨幣の枚数を算出する（ステップＳＰ６）。この算出は、釣銭の貨幣の枚数が最小となるように算出される。例えば釣銭額が６８９７円の場合、５０００円札が１枚、１０００円札が１枚、５００円硬貨が１枚、１００円硬貨が３枚、５０円硬貨が１枚、１０円硬貨が４枚、５円硬貨が１枚、１円硬貨が２枚となる。
【００２４】
次に制御部１００は、算出された貨幣の枚数に基づいて、釣銭を準備するために要する合計時間を算出する（ステップＳＰ７）。この合計時間は、貨幣の枚数と貨幣データ記憶部６２に記憶されている各貨幣を取り出すのに要する時間とから算出する。例えば釣銭が６８９７円の場合、５０００円札が１枚で０．５秒、１０００円札が１枚で０．５秒、５００円硬貨が１枚で０．３秒、１００円硬貨が３枚で０．３秒×３＝０．９秒、５０円硬貨が１枚で０．３秒、１０円硬貨が４枚で０．３秒×４＝１．２秒、５円硬貨が１枚で０．３秒、１円硬貨が２枚で０．３秒×２＝０．６秒となり、その合計時間は４．６秒である。
【００２５】
次に制御部１００は、ステップＳＰ７で算出した合計時間が２秒未満か否かを判断する（ステップＳＰ８）。２秒未満であれば（ステップＳＰ８のＹｅｓ）、レシート発行速度指数記憶部６３に記憶しているレシートを発行する時間の指数１を読み出し、レシート搬送速度／供給電流記憶部６４から、指数１に対応した搬送速度２７０ｍｍ／ｓｅｃと供給電流値４．４８Ａを読み出して、レシート搬送速度／供給電流セット部６５にセットする（ステップＳＰ９）。そして制御部１００は、カウンタ６１の値を「０」にリセットして（ステップＳＰ１０）次にプリンタ２８でレシートに商品情報を印字してレシートを発行する（ステップＳＰ１１）。合計時間が２秒未満である場合、釣銭の準備が早くできるため、指数１に基づいた搬送速度と供給電流をレシート搬送速度／供給電流セット部６５にセットし、レシートを最も速く（すなわち最も短い時間で）発行する。したがって、レシートを遅滞なく発行することができる。
【００２６】
また、合計時間が２秒未満でない場合は（ステップＳＰ８のＮｏ）、制御部１００は次に合計時間が２秒〜４秒であるかを判断する（ステップＳＰ１２）。合計時間が２秒〜４秒である場合は（ステップＳＰ１２のＹｅｓ）、制御部１００は、カウンタ６１の値が２０以下かを判断する（ステップＳＰ１３）。カウンタ６１の値が２０以下である場合、購入された商品の数が少なく、発行されるレシートの長さは短い。これに対してカウンタ６１の値が２０を超える場合は、購入された商品の数が多く、発行するレシートは長い。
【００２７】
制御部１００が、カウンタ６１の値が２０以下であると判断した場合は（ステップＳＰ１３のＹｅｓ）、発行するレシートの長さが短いため、制御部１００は、レシート発行速度指数記憶部６３により指数２に対応した搬送速度と供給電流である搬送速度２４０ｍｍ／ｓｅｃと供給電流値３．９８Ａをレシート搬送速度／供給電流セット部６５にセットする（ステップＳＰ１４）。そして制御部１００は、カウンタ６１の値を「０」にリセットして（ステップＳＰ１０）プリンタ２８でレシートに商品情報を印字してレシートを発行する（ステップＳＰ１１）。合計時間が２秒〜４秒の場合、合計時間が２秒未満の場合より釣銭を準備する時間を要するため、プリンタ２８でのレシートの印字発行は最も速い速度よりは遅い比較的速い速度（すなわち、比較的短い時間で）で発行される。この場合、レシート発行に要する電力は、レシートを最も速く発行する場合に比べて少ない。この場合、合計時間すなわち釣銭の準備に要する時間が２秒〜４秒と、２秒未満より長いため、レシートを比較的速い速度に落として発行するようにしても、レシートを遅滞なく発行することができる。
【００２８】
また、カウンタ６１の値が２０を超える場合（すなわち発行するレシートが長い場合）は（ステップＳＰ１３のＮｏ）、制御部１００は、指数１に対応した搬送速度２７０ｍｍ／ｓｅｃと供給電流値４．４８Ａをレシート搬送速度／供給電流セット部６５にセットする（ステップＳＰ１５）。そして制御部１００は、カウンタ６１の値を「０」にリセットして（ステップＳＰ１０）プリンタ２８でレシートに商品情報を印字してレシートを発行する（ステップＳＰ１１）。このようにすることで、発行するレシートが長くても発行速度を速くして、合計時間内にレシートを発行することができる。
【００２９】
また、合計時間が４秒より多いと判断した場合は（ステップＳＰ１２のＮｏ）、制御部１００は、カウンタ６１の値が２０以下かを判断する（ステップＳＰ１６）。カウンタ６１の値が２０以下であると判断された場合は（ステップＳＰ１６のＹｅｓ）、レシート発行速度指数記憶部６３により指数３に対応した搬送速度と供給電流である搬送速度１５０ｍｍ／ｓｅｃと供給電流値２．４９Ａをレシート搬送速度／供給電流セット部６５にセットする（ステップＳＰ１７）。そして制御部１００は、カウンタ６１の値を「０」にリセットして（ステップＳＰ１０）次にプリンタ２８でレシートに商品情報を印字してレシートを発行する（ステップＳＰ１１）。合計時間が４秒を超える場合は、合計時間が２秒〜４秒の場合よりさらに釣銭を準備する時間を要するため、プリンタ２８でのレシートの印字発行は比較的速い速度よりさらに遅い、比較的遅い速度で（すなわち、比較的長い時間で）発行される。この場合、レシート発行に要する電力は、レシートを比較的速く発行する場合に比べて少ない。そして、合計時間すなわち釣銭の準備に要する時間が４秒を超え、２秒〜４秒より長いため、レシートを比較的遅い速度まで落として発行するようにしても、レシートを遅滞なく発行することができる。
【００３０】
また、カウンタ６１の値が２０を超える場合（すなわち発行するレシートが長い場合）は（ステップＳＰ１６のＮｏ）、制御部１００は、指数２に対応した搬送速度２４０ｍｍ／ｓｅｃと供給電流値３．９８Ａをレシート搬送速度／供給電流セット部６５にセットする（ステップＳＰ１８）。そして制御部１００は、カウンタ６１の値を「０」にリセットして（ステップＳＰ１０）プリンタ２８でレシートに商品情報を印字してレシートを発行する（ステップＳＰ１１）。このようにすることで、発行するレシートが長くても発行速度を速くして、合計時間内にレシートを発行することができる。
【００３１】
このような本実施の形態の商品販売データ処理装置では、顧客に渡す釣銭の枚数に基づいてレシートの発行速度を制御しているため、レシート発行に要する電力を削減することができる。
【００３２】
また、本実施の形態の商品販売データ処理装置では、釣銭の枚数が多い場合はレシートの発行速度を遅くする。このようにすることでレシート発行時に要する電力を少なくすることができる。
【００３３】
また、本実施の形態の商品販売データ処理装置では、入力された商品数をカウントしてこのカウント値に応じてレシートの発行速度を制御しているため、商品数に応じてレシートの発行速度を制御することができる。
【００３４】
また、本実施の形態の商品販売データ処理装置では、カウント値が多い場合はレシート発行速度が速くなるように制御し、カウント値が少ない場合はレシート発行速度が遅くなるように制御しているため、レシートの長さによってレシート発行速度を制御することができる。
【００３５】
また、本実施の形態の商品販売データ処理装置では、各貨幣を取り出す時間から釣銭を準備するのに必要な合計時間を算出し、この合計時間に基づいてレシートの発行速度を制御したため、正確なレシート発行速度をセットすることができる。
【００３６】
なお、本実施の形態は、例として提示したものであり、発明の範囲を限定することは意図していない。この本実施の形態は、その他の様々な形態で実施されることが可能であり、発明の要旨を逸脱しない範囲で、種々の省略、置き換え、変更を行うことができる。この本実施の形態やその変形は、発明の範囲や要旨に含まれるとともに、特許請求の範囲に記載された発明とその均等の範囲に含まれる。
【００３７】
例えば本実施の形態では、合計時間を算出してその合計時間に対応してレシートの発行速度を制御したが、釣銭の枚数に基づいてレシートの発行速度を制御するようにしてもうよい。
【００３８】
また、本実施の形態では、レシートの搬送速度と供給する電流を、指数を用いてセットしたが、指数は必須の要件ではない。
【００３９】
また、本実施の形態では、予め記憶されたレシートの搬送速度と供給する電流値の一つをセットすることでレシートの発行速度を制御したが、釣銭の枚数や合計時間から都度レシートの発行速度を算出して制御してもよい。
【００４０】
また、本実施の形態では、プリンタ２８としてサーマルプリンタを例として説明したが、インクジェットプリンタ等のプリンタであってもよい。
【００４１】
また、本実施の形態では、カウンタ６１の値を考慮してレシートの発行速度を制御したが、カウンタ６１の値を考慮することは必須の要件ではない。
【００４２】
なお、本実施の形態の商品販売データ処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４３】
また、本実施の形態の商品販売データ処理装置で実行されるプログラムを、インターネット等のネットワークに接続されたコンピュータ上に格納し、ネットワーク経由でダウンロードさせることにより提供するように構成してもよい。また、本実施の形態の商品販売データ処理装置で実行されるプログラムをインターネット等のネットワーク経由で提供または配布するように構成してもよい。
【００４４】
また、本実施の形態の商品販売データ処理装置で実行されるプログラムを、ＲＯＭ２２等に予め組み込んで提供するように構成してもよい。
【符号の説明】
【００４５】
１００  制御部
１０１  商品情報データ処理手段
１０２  釣銭額算出手段
１０３  レシート発行手段
１０４  釣銭貨幣枚数算出手段
１０５  レシート発行速度制御手段
【先行技術文献】
【特許文献】
【００４６】
【特許文献１】特開平６−２１５２６６号公報
【図１】
0005567630.tif 000002
【図２】
0005567630.tif 000003
【図３】
0005567630.tif 000004
【図４】
0005567630.tif 000005
【図５】
0005567630.tif 000006
【図６】
0005567630.tif 000007
【図７】
0005567630.tif 000008
【図８】
0005567630.tif 000009